(57)【特許請求の範囲】
【請求項１】
上カップと下カップとを有する乳房カップを具備し、該上カップと該下カップとにそれぞれパッド部が設けられているパッテッドブラジャーにおいて、
少なくとも上記上カップに設けられた上記パッド部は、弾力性のある伸縮性シートを含み、
前記弾力性のある伸縮性シートは、上記上カップの上側縁部が前記乳房カップの左右方向にのみ伸縮可能となるように配設されており、
前記弾力性のある伸縮性シートは、ポリウレタンシートの少なくとも上部が伸縮性を有する素材で覆われて構成されており、
前記弾力性のある伸縮性シートの前記伸縮性を有する素材は、一方向にのみ伸びる素材であり、その伸びる方向が前記弾力性のある伸縮性シートの伸縮方向と一致するように配置されており、
前記上カップは、上カップ形成素材として伸縮性を有する素材を備え、前記ポリウレタンシートの少なくとも上部を覆う伸縮性を有する素材の上記上カップ形成素材と当接する面の上端部と、上記上カップ形成素材の上端部とを部分的に縫い合わせ、前記ポリウレタンシートと上記上カップ形成素材とを直接縫い合わせないで構成されている、
ことを特徴とするパッテッドブラジャー。
【発明の詳細な説明】
【０００１】
【発明の属する技術分野】
本発明は、パッテッドブラジャーに関し、更に詳しくは、乳房カップの上側縁部が伸縮可能となされており、装着性に優れたパッテッドブラジャーに関する。
【０００２】
【従来の技術及び発明が解決しようとする課題】
従来より、上カップと下カップとを有する乳房カップを具備し、該上カップと該下カップとにそれぞれパッド部が設けられているパッテッドブラジャーは、種々提案され市販されている。
【０００３】
ここで、乳房の形状には個人差が顕著に存在するため、従来の画一的な形態の乳房カップでは、個々人にぴったりフィットするようなものが得られていないのが現状である。
【０００４】
一方、個々人にぴったりフィットするように特別注文をすると価格が非常に高くなるという問題がある。
【０００５】
従って、本発明の目的は、規格品でありながら個々人にフィット可能で装着性に優れたパッテッドブラジャーを提供することにある。
【０００６】
【課題を解決するための手段】
本発明者は、上記課題を解消するために鋭意検討した結果、上カップのパッド部に弾力性のある伸縮性シートを用いたパッテッドブラジャーが上記目的を達成しうることを知見した。
【０００７】
本発明は、上記知見に基づいてなされたもので、上カップと下カップとを有する乳房カップを具備し、該上カップと該下カップとにそれぞれパッド部が設けられているパッテッドブラジャーにおいて、少なくとも上記上カップに設けられた上記パッド部は、弾力性のある伸縮性シートを含み、上記上カップの上側縁部が伸縮可能となされていることを特徴とするパッテッドブラジャーを提供するものである。
【０００８】
上記弾力性のある伸縮性シートは、個人差のある乳房形状にフィットし且つ乳房を保持するためには、上カップの長手方向すなわち乳房カップの左右方向にのみ伸縮することが好ましい。上記伸縮性シートに用いる素材の伸び率は、伸ばす前の状態を１００とした場合、１００より大きく、好ましくは２００以下、より好ましくは１５０以下、特に好ましくは１３０以下である。あまりに大きな伸び率を示すシートでは、乳房の形態保持性に劣り好ましくない。
【０００９】
上記弾力性のある伸縮性シートとしては、ポリウレタンシートを含むことが好ましく、軟質ポリウレタンシート単独でもよいが、伸縮性ポリウレタンシートと伸縮性素材との積層シート、伸縮性ポリウレタンシートを伸縮性素材で覆ってなるシート等を好ましく挙げることができる。ここで、上記伸縮性素材は、弾力性のある伸縮性シートの伸縮性を阻害しない伸縮性を有するものであれば特に限定されないが、当業分野で公知のトリコット、ベアー天竺などの編地などを好ましく用いることができる。トリコットなどのように、一方向にのみ伸びる素材を用いる場合には、伸びる方向を弾力性のある伸縮性シートの伸び方向と一致させることが特に好ましい。
【００１０】
弾力性のある伸縮性シートと伸縮性素材との積層シートを用いる場合には、上カップを形成する素材（以下、上カップ形成素材と略す）として、上記積層シートの伸縮性を阻害しない伸縮性を有する素材を用いることが好ましい。上カップ形成素材としては、ポリウレタン弾性糸を含む編物、トリコット、ベアー天竺、ツーウェイトリコットなどの編地を好ましく用いることができる。この場合、上記上カップ形成素材は、その上部を折り返して肌当接部を形成し、残りの部分はカップ表面となる肌非当接部を形成し、該肌当接部と肌非当接部との間に、上記積層シートを介在させ、上記肌当接部の上端近傍と、該積層シートの上端近傍とを縫い合わせて、カップ表面に縫い目が現れないように、上カップを形成することが好ましい。あるいは、上カップ形成素材の上端近傍にストレッチレースなどの伸縮性装飾部材を取り付けてもよい。この場合には、積層シートの伸縮性を阻害しないように、上記伸縮性装飾部材は、線状ではなく２、３点で縫いつけることが好ましい。
【００１１】
一方、上記弾力性のある伸縮性シートとして、ポリウレタンシートの上部を伸縮性素材で覆ってなるシートを用いる場合には、上記上カップ形成素材の上端近傍と、上記ポリウレタンを覆う伸縮性素材の上記上カップ形成素材と当接する面の上端近傍とを、線状ではなく、２、３点で部分的に縫いつけるだけでよい。この場合には、上カップの上側縁部における弾力性のあるポリウレタンシートの伸縮性を阻害しないように、ポリウレタンシートの上部と、上カップ形成素材とは、直接縫い合わせないことが好ましい。
【００１２】
また、弾力性のある伸縮性シートとして、ポリウレタンシートを含む場合には、ポリウレタンシートの厚みは１０ｍｍ以下であることが好ましく、特に２．５ｍｍ程度が好ましい。伸縮性ポリウレタンシートの厚みが１０ｍｍを超えると、伸び難く、縫い難いので好ましくない。
【００１３】
また、下カップのパッド部に用いる素材は、乳房を保持するに足る乳房カップの上下方向に非伸縮性の素材を用いることが好ましい。また、デザイン上の観点からは、上カップのパッド部に用いた弾力性のある伸縮性シートを伸び方向が下カップの左右方向になるように配設して用いることが好ましい。この場合には、下カップ下側縁部にワイヤーを設けることで、上カップに用いる場合と比較して弾力性のある伸縮性シートの左右方向への伸縮性を抑えることができ、着用者の乳房を保持するに十分な非伸縮性（伸び難さ）を呈することができる。
【００１４】
本発明のパッテッドブラジャーによれば、上カップ（特に乳房カップの上側縁部となる部分）の伸縮性により個人差のある乳房形状にも着用時に良好にフィットし、且つ下カップにより乳房を保持できる。またパッドとして弾力性のある伸縮性シートを用いているので、肌に当接する感触が非常に柔軟で装着感が良好である。これらのことから、本発明のパッテッドブラジャーは、優れた装着性を有するものである。また、個々人に合わせてオーダーメードによりカップパターンを変えることなく、規格品として廉価に、個々人にフィットし得るパッテッドブラジャーを提供し得るものである。
【００１５】
【発明の実施の形態】
以下、本発明のパッテッドブラジャーの一形態について図面を参照して詳細に説明する。
【００１６】
ここで、図１は、本発明のパッテッドブラジャーの一形態を示す斜視図であり、図２は、図１のII-II断面を模式的に示す断面図である。
【００１７】
図１及び２に示す形態のパッテッドブラジャー１は、上カップ３と下カップ４とを有する乳房カップ２を具備し、該上カップ３と該下カップ４とにそれぞれパッド部３０及び４０が設けられている。
【００１８】
上記パッテッドブラジャー１における上カップ２及び下カップ３以外の部材は、通常のパッテッドブラジャーと同様に形成されている。
【００１９】
そして、本形態のパッテッドブラジャー１は、上記上カップ３に設けられた上記パッド部３０が、弾力性のある伸縮性ポリウレタンシート３１を含み、上記乳房カップ２の上側縁部２１が、乳房カップの左右方向に伸縮可能となされている。
【００２０】
更に詳述すると、上記パッド部３０は、図２及び図３に示すように、弾力性のある伸縮性ポリウレタンシート３１が、その両側面３２，３３をトリコット３４，３５で積層してなる積層シートの形態である。上カップ３は、上記積層シートの伸縮性を阻害しない伸縮性を有するポリウレタン弾性糸を含むジャガード編地などの上カップ形成素材から形成されており、その上部を折り返して形成された肌当接部３ａと、残りの部分から形成されたカップ表面となる肌非当接部３ｂと、を有する。該肌当接部３ａと肌非当接部３ｂとの間に、上記弾力性のある伸縮性ポリウレタンシート３１とトリコット３４，３５との積層シートを介在させ、上記肌当接部３ａの上端近傍と、該積層シートの上端近傍と、を図３においてＳ１で示すステッチ位置で縫い合わせて、カップ表面に縫い目が現れないように、上カップ３は形成されている。こうして、パッド部３０すなわち弾力性のある伸縮性ポリウレタンシート３１の伸縮性を阻害せずに、且つ縫い目のないスムーズな外観を提供し得る上カップ３が得られる。
【００２１】
もちろん、上カップ３の上側縁部にストレッチレースなどの伸縮性装飾部材を取り付けてもよい。この場合には、積層シートの伸縮性を阻害しないように、上記伸縮性装飾部材は、弾力性のある伸縮性ポリウレタンシート３１の伸び方向すなわち積層シートの伸び方向と同一方向により良く伸びるように配設され、且つ線状ではなく２，３点で縫いつけられる。こうして、カップ部３０の伸縮性すなわち弾力性のある伸縮性ポリウレタンシート３１の伸縮性を阻害せずに、良好な外観を提供し得る上カップ３が得られる。
【００２２】
下カップ４は、上カップ３と同じ弾力性のある伸縮性ポリウレタンシートを用いているが、その伸び方向が下カップ４の長手方向（カップの左右方向）のみとなるように、すなわち下カップの上下方向には非伸縮性となるように、配設されて形成されている。もちろん、下カップ４には、非伸縮性の通常の下カップ形成素材を用いることもできる。
【００２３】
本形態のパッテッドブラジャーは、上述の上カップを除いて慣用の方法で製作され、通常のブラジャーと同様に用いることができる。そして、本形態のパッテッドブラジャーは、上述のごとく構成されているので、フィット性に優れ、良好な装着性を提供することができる。また、本形態においては、下カップが乳房カップの上下方向には伸縮しないようになされているので、乳房の保持性にも優れている。すなわち、上カップを伸縮性のあるものとし、下カップを少なくとも乳房カップの上下方向には伸縮しないものとすれば、保持性とフィット性との両方を十分に満足させることができる。
【００２４】
次いで、本発明のパッテッドブラジャーの他の形態について図４及び図５を参照して説明する。
【００２５】
ここで、図４は、本発明のパッテッドブラジャーの他の形態を示す幅方向断面図（図２相当図）であり、図５は図４に示すパッテッドブラジャーの上カップの拡大図（図３相当図）である。
【００２６】
尚、以下の説明においては、特に図１〜３に示す形態と異なる点について説明する。特に詳述しない点については、上述した図１〜３に示す形態と同じである。
【００２７】
図４に示す形態のパッテッドブラジャー１００は、図５に示すように、上カップ１０３が、トリコット１３４に覆われた形態の弾力性のある伸縮性ポリウレタンシート１３１を含む。上カップ１０３の表面を形成する上カップ形成素材は、肌非当接部１０３ｂを有するが、図３に示したような肌当接部は有していない。そして、肌非当接部１０３ｂと対面するトリコット１３４とは、上カップ１０３の上側縁部において、図５においてＳ２で示されるステッチ位置にて縫合されて接合されている。また、上カップ１０３の下側縁部の下カップ１０４との縫い合わせ位置において、図５にてＳ３で示されるステッチ位置にて、伸縮性ポリウレタンシート１３１を両側から挟持するトリコット１３４は、上カップ１０３及び下カップ１０４と共に縫い付けられている。
【００２８】
尚、本発明のパッテッドブラジャーは、上述の形態に制限されるものではなく、本発明の趣旨を逸脱しない範囲で種々変形可能である。
【００２９】
【発明の効果】
本発明のパッテッドブラジャーは、規格品でありながら個々人にフィットしうる、装着性に優れたものである。特に、上カップに弾力性のある伸縮性シートを用いているので、良好な装着感を呈すると共に、従来のパッテッドブラジャーでは伸縮性のなかったカップ上側縁部にカップの左右方向への伸縮性を付与し、個々人のバスト形態に良好にフィットし得るという効果を奏する。
【図面の簡単な説明】
【図１】図１は、本発明のパッテッドブラジャーの一形態を示す斜視図である。
【図２】図２は、図１のII-II断面図である。
【図３】図３は、パッド部を示す図２の部分拡大図である。
【図４】図４は、本発明のパッテッドブラジャーの他の形態を示す幅方向断面図（図２相当図）である。
【図５】図５は、図４のパッテッドブラジャーのパッド部を示す部分拡大図（図３相当図）である。
【符号の説明】
１：パッテッドブラジャー
２：乳房カップ部
２１：乳房カップ上側縁部
３；１０３：上カップ
４；１０４：下カップ
３ａ：上カップの肌当接部
３ｂ；１０３ｂ：上カップの肌非当接部
３０：積層シートからなるバッド部
１３０：被覆体からなるパッド部
３１；１３１：伸縮性ポリウレタンシート
３４、３５；１３４：トリコット
Ｓ１；Ｓ２；Ｓ３：ステッチ位置
【図１】
0004201872.tif 000002
【図２】
0004201872.tif 000003
【図３】
0004201872.tif 000004
【図４】
0004201872.tif 000005
【図５】
0004201872.tif 000006